(57)【要約】  【課題】  医療用画像表示方法および装置において、モダリティの種類あるいは撮影部位に拘らず画像データを表示画面内に適切に表示させる。  【解決手段】  医療用画像取得装置５のモダリティの種類および／または上記医療用画像取得装置５から出力される画像データによって表される被写体の撮影部位に応じて上記画像データを表示画面３１内のウィンドウ中に表示させるウィンドウの配置形態を定め、このように定められたウィンドウ中に上記画像データによって表される画像を表示させる。【選択図】          図１
2005245921.tif 000002
【特許請求の範囲】
【請求項１】
医療用画像取得装置から出力された画像データを表示画面内のウィンドウ中に表示する医療用画像表示方法において、
前記医療用画像取得装置のモダリティの種類および／または前記画像データによって表される被写体の撮影部位に応じて前記ウィンドウの配置形態を定めることを特徴とする医療用画像表示方法。
【請求項２】
医療用画像取得装置から出力された画像データを表示画面内のウィンドウ中に表示する医療用画像表示装置において、
前記医療用画像取得装置のモダリティの種類および／または前記画像データによって表される被写体の撮影部位に応じて、前記表示画面内における前記ウィンドウの配置形態を定めるウィンドウ配置設定手段を備えたことを特徴とする医療用画像表示装置。
【発明の詳細な説明】
【技術分野】
【０００１】
本発明は、医療用画像表示方法および装置に関し、詳しくは、医療用画像取得装置から出力された画像データを表示画面内のウィンドウ中に表示させる医療用画像表示方法および装置に関するものである。
【背景技術】
【０００２】
従来より、表示画面上に表示させる医療用画像は、医療用画像取得装置のモダリティの種類（例えば、ＣＲ、ＭＲＩ、ＣＴ）および被写体の撮影部位（例えば、頭部、胸部、乳房）等に応じて適切な形態で表示されている。
【０００３】
例えばＭＲＩ装置によって取得された種々の方向に沿った断層画像を表示させる場合には表示画面を４×４の１６分割したウィンドウ中に上記種々の断層画像をそれぞれ表示させたり、ＣＲ装置によって取得されたマンモ画像を表示させる場合には表示画面を２分割したウィンドウ中に左右の乳房のそれぞれの画像を表示させており、これらの表示はそれぞれの医療用画像取得装置が備えている専用の表示装置に表示されるようになっている（特許文献１、および特許文献２参照）。
【特許文献１】特開平０５―０５６９５３号公報
【特許文献２】特開平０６―２９２６５４号公報
【発明の開示】
【発明が解決しようとする課題】
【０００４】
ところで、近年、モダリティの種類が互いに異なる複数の医療用画像取得装置と医療用画像表示装置とを共通のネットワーク上で使用するような医療システムが構築されることがあり、上記複数の医療用画像取得装置から出力された画像データによって表される画像を同一の医療用画像表示装置で表示させることが考えられる。
【０００５】
しかしながら、上記複数の医療用画像取得装置から出力された画像データを同一の医療用画像表示装置に表示させようとする場合には、この画像データが適切に表示されない虞がある。すなわち、画像データが表示される際には、この画像データを出力したモダリティの種類およびこの画像データが表す被写体の撮影部位に応じて上記画像データを表示画面上に表示させる適切な配置形態（画像データを表示させる表示画面中のウィンドウの配置形態）を定め、このように定められたウィンドウ中に上記画像データを表示させる必要があるが、上記モダリティの種類および撮影部位がそれぞれ異なる様々な画像データが同一の医療用画像表示装置に入力される場合は上記のような適切なウィンドウの配置形態を定めることは困難である。
【０００６】
なお、上記モダリティの種類とは、広義には医療用画像取得装置の種類、狭義には、例えば画像取得方式の種類を意味するものである。
【０００７】
本発明は、上記事情に鑑みてなされたものであり、モダリティの種類あるいは撮影部位に拘らず画像データを表示画面内に適切に表示させることができる医療用画像表示方法および装置を提供することを目的とするものである。
【課題を解決するための手段】
【０００８】
本発明の医療用画像表示方法は、医療用画像取得装置から出力された画像データを表示画面内のウィンドウ中に表示する医療用画像表示方法において、前記医療用画像取得装置のモダリティの種類および／または前記画像データによって表される被写体の撮影部位に応じて前記ウィンドウの配置形態を定めることを特徴とするものである。
【０００９】
本発明の医療用画像表示装置は、医療用画像取得装置から出力された画像データを表示画面内のウィンドウ中に表示する医療用画像表示装置において、前記医療用画像取得装置のモダリティの種類および／または前記画像データによって表される被写体の撮影部位に応じて、前記表示画面内における前記ウィンドウの配置形態を定めるウィンドウ配置設定手段を備えたことを特徴とするものである。
【発明の効果】
【００１０】
本発明の医療用画像表示方法および装置によれば、医療用画像取得装置のモダリティの種類および／または画像データによって表される被写体の撮影部位に応じてウィンドウの配置形態を定めるようにしたので、画像データが示される各ウィンドウの位置や大きさ等を適切に定めることができ、画像データを表示画面内に適切に表示させることができる。
【発明を実施するための最良の形態】
【００１１】
以下、本発明の実施の形態について、図面を用いて説明する。図１は本発明の医療用画像取得装置の概略構成を示すブロック図、図２は検査ウィンドウおよびシリーズウィンドウの配置形態を示す図、図３はシリーズウィンドウ中に配置されるシリーズ内ウィンドウの配置形態を示す図、図４は画像データが表示画面内のウィンドウ中に表示された様子を示す図である。
【００１２】
本発明の実施の形態による医療用画像表示装置１００は、医療用画像取得装置５から出力される画像データを、すなわち該画像データが表す被写体の画像を、表示画面内のウィンドウ中に表示する表示装置であり、上記画像データはこの画像データの付帯情報（モダリティの種類、被写体の撮影部位、患者名、患者ＩＤに関する情報等）を示す付帯データを伴って上記医療用画像取得装置５から出力される。
【００１３】
上記医療用画表示装置１００は、医療用画像取得装置５によって取得された画像データとこの画像データに付帯される付帯データとが蓄積記憶されている画像情報蓄積装置１０から出力された画像データおよびこの画像データに付帯される付帯データを入力して記憶する記憶メモリ２０と、記憶メモリ２０に記憶された付帯データを参照して後述する表示器３０の表示画面３１内におけるウィンドウの配置形態を定める配置形態データＨを出力するウィンドウ配置設定手段４０と、ウィンドウ配置設定手段４０から出力された上記配置形態データＨおよび記憶メモリ２０に記憶されている画像データを入力して上記配置形態データＨに基づいて配置形態が定められたウィンドウ中に上記画像データに基づく画像が表示されるように作成されたウィンドウ映像信号を出力する映像信号生成手段５０と、映像信号生成手段５０によって生成されたウィンドウ映像信号を入力してこのウィンドウ映像信号を表示画面３１上に表示する表示器３０とを備えている。
【００１４】
ウィンドウ配置設定手段４０は、表示画面３１内におけるウィンドウの配置形態を定めるものであり、このウィンドウ配置設定手段４０は、後述する検査ウィンドウおよびシリーズウィンドウの配置形態を定めるデータを第１の配置形態データＨ１として出力する検査・シリーズウィンドウ設定部４１と、後述するシリーズ内ウィンドウの配置形態を定めるデータを第２の配置形態データＨ２として出力するシリーズ内ウィンドウ設定部４２とを備えている。
【００１５】
なお、検査・シリーズウィンドウ設定部４１は、外部から入力される検査・シリーズウィンドウ設定信号Ｚに基づいて第１の配置形態データＨ１を定めるものであ。また、シリーズ内ウィンドウ設定部４２は、画像情報蓄積装置１０から出力される画像データによって表される被写体の撮影部位およびこの画像データを出力した医療用画像取得装置５のモダリティの種類に応じて第２の配置形態データＨ２を定めるものである。
【００１６】
ここで、上記検査ウィンドウ、シリーズウィンドウ、およびシリーズ内ウィンドウについて詳しく説明する。
【００１７】
シリーズウィンドウ中には１以上のシリーズ内ウィンドウが配置され、検査ウィンドウ中には１以上のシリーズウィンドウが配置され、表示画面上には１以上の検査ウィンドウが配置される。
【００１８】
シリーズ内ウィンドウは、１つの医療用画像取得装置による１回の画像取得操作によって取得された１以上の画像が個別に表示されるウィンドウであり、第２の配置形態データＨ２に基づいてその配置形態が定められ、シリーズウィンドウ中に１つ以上並べて配置されてシリーズ画像を構成するものである。例えば、ＣＲ装置によって胸部が撮影された場合にはシリーズ内ウィンドウがシリーズウィンドウ中に１つ配置される配置形態が定められ、ＣＲ装置によって左右の乳房が撮影された場合には左右の乳房が同時に表示されるようにシリーズウィンドウ中に２つのシリーズ内ウィンドウが並べられて配置される配置形態が定められ、ＣＴ装置によって腹部が撮影された場合にはシリーズウィンドウ中に多数のシリーズ内ウィンドウが格子上に配置される配置形態が定められる。
【００１９】
シリーズウィンドウは、患者の１回の訪問中に各医療用画像取得装置によって取得されたそれぞれのシリーズ画像がまとめて表示されるウィンドウであり、第１の配置形態データＨ１に基づいてその配置形態が定められ、検査ウィンドウ中に１つ以上並べて配置されて検査画像を構成するものである。
【００２０】
検査ウィンドウは、患者の訪問毎に取得されたそれぞれの検査画像がまとめて表示されるウィンドウであり、第１の配置形態データＨ１に基づいてその配置形態が定められる。
【００２１】
次に上記実施の形態における作用について説明する。
【００２２】
医療用画像取得装置１００が患者Ａの検査の結果を表示させる要求を受け付けた後、検査・シリーズウィンドウ設定部４１は、表示画面上に表示させる検査数および各検査毎に表示させるシリーズ数を示す検査・シリーズウィンドウ設定信号Ｚを外部から入力し、また記憶メモリ２０は、上記患者Ａの画像データおよびこの画像データに伴う付帯データを画像情報蓄積装置１０から入力して記憶する。
【００２３】
検査・シリーズウィンドウ設定部４１は、検査・シリーズウィンドウ設定信号Ｚを参照して、検査数が１、およびこの検査におけるシリーズ数が２であることを認識すると、図２に示すような１つの検査ウィンドウＫ１中に２つのシリーズウィンドウであるシリーズウィンドウＷ１とシリーズウィンドウＷ２とが並んで１つずつ配置される配置形態を示す第１の配置形態データＨ１を映像信号生成手段５０に出力する。
【００２４】
シリーズ内ウィンドウ設定部４２は、記憶メモリ２０に記憶された付帯データが示す付帯情報からモダリティの種類がＣＲとＣＴで、かつ上記記憶メモリ２０に記憶されたＣＲ装置およびＣＴ装置から出力された画像データによって表される被写体の撮影部位が両方共に胸部であることを認識すると、図３に示すようにＣＲ用のシリーズウィンドウＷ１内にシリーズ内ウィンドウが１つ配置される配置形態と、ＣＴ用のシリーズウィンドウＷ２内を縦４分割、横３分割の１２分割して１２のシリーズ内ウィンドウを配置する配置形態とを示す第２の配置形態データＨ２を映像信号生成手段５０に出力する。
【００２５】
映像信号生成手段５０は、上記第１の配置形態データＨ１、第２の配置形態データＨ２および記憶メモリ２０に記憶されている患者Ａの画像データを入力して上記第１の配置形態データＨ１および第２の配置形態データＨ２に基づいて配置形態が定められた各ウィンドウ中に上記ＣＲ装置およびＣＴ装置から出力された画像データに基づく画像を表示させるウィンドウ映像信号Ｅを生成する。
【００２６】
映像信号生成手段５０によって生成された上記ウィンドウ映像信号Ｅは表示器３０に入力され、上記画像データに基づく患者Ａの検査結果を表す画像が表示画面３１内に配置された上記各ウィンドウ中に表示される（図４参照）。
【００２７】
なお、画像データによって表される画像をシリーズ内ウィンドウ中に配置させる順番は、例えば、画像番号順に配置させたり、各画像毎に配置優先順位を予め定めてこの優先順位にしたがって配置させるようにしたり、撮影の順番にしたがって配置されるようにすることができる。
【００２８】
また、シリーズウィンドウが並べられる順番は、例えば、モダリティに優先順位をつけてこの順番に並べたり、撮影部位に優先順位をつけてこの順番に並べたり、撮影された順番に並べたり、検査メニューなど独自にグループの概念を追加して並べたりするようにしてもよい。
【００２９】
また、検査ウィンドウが並べられる順序は、例えば、検査日の順に並べるようにしてもよい。
【００３０】
また、外部から入力された検査・シリーズウィンドウ設定信号Ｚによって認識された検査数が記憶メモリ２０に記憶された付帯データによって認識された検査の数より少ない場合には付帯データによって認識された検査ウィンドウの数が採用される。また外部から入力された検査・シリーズウィンドウ設定信号Ｚによって認識された各検査毎のシリーズの数が記憶メモリ２０に記憶された付帯データによって認識されたシリーズの数より少ない場合には、該当する検査のシリーズウィンドウの数として付帯データによって認識された検査ウィンドウの数が採用される。
【００３１】
また、外部から入力された検査・シリーズウィンドウ設定信号Ｚによって認識された検査数が記憶メモリ２０に記憶された付帯データによって認識された検査の数より多い場合には、上記優先順位等に基づいて優先順位の高い検査画像のみが表示対象となる。また外部から入力された検査・シリーズウィンドウ設定信号Ｚによって認識された各検査毎のシリーズの数が記憶メモリ２０に記憶された付帯データによって認識されたシリーズの数より多い場合には、上記優先順位等に基づいて優先順位の高いシリーズ画像のみが表示対象となる。
【００３２】
また、上記実施の形態においては、画像データを出力したモダリティの種類およびこの画像データによって表される被写体の撮影部位に応じてシリーズ内ウィンドウの配置形態を定めるようにしたが、上記モダリティの種類および上記被写体の撮影部位に応じて検査ウィンドウおよびシリーズウィンドウの配置形態を定めるようにしてもよい。
【００３３】
また、上記配置形態データは、画像データを出力したモダリティの種類およびこの画像データによって表される被写体の撮影部位に応じて定められるものしたが、モダリティの種類のみに応じて上記配置形態データを定めるようにしてもよいし、画像データによって表される被写体の撮影部位のみに応じて上記配置形態データを定めるようにしてもよい。
【００３４】
また、上記実施の形態においては、上記「画像データによって表される被写体の撮影部位」を付帯データに基づいて特定する例を示したが、画像データを直接分析して被写体の撮影部位を特定してもよい。また上記「医療用画像取得装置のモダリティの種類」を付帯データに基づいて特定する例を示したが、画像データを直接分析して上記医療用画像取得装置のモダリティの種類を特定してもよい。
【００３５】
また、検査ウィンドウあるいはシリーズウィンドウは等間隔で分割される必要はない。
【００３６】
また、モダリティの数と検査の数とが一致し、検査ウィンドウの概念が存在しない画像データを取り扱う場合には、シリーズウィンドウを省略して検査ウィンドウ内に画像データに基づく各画像を表示させるようにしてもよい。
【００３７】
また、それぞれのウィンドウの配置形態は画像を表示する際に操作者が変更するようにしてもよい。
【図面の簡単な説明】
【００３８】
【図１】本発明の実施の形態による医療用画像取得装置の概略構成を示すブロック図
【図２】検査ウィンドウおよびシリーズウィンドウの配置形態を示す図
【図３】シリーズウィンドウ中に配置されるシリーズ内ウィンドウの配置形態を示す図
【図４】画像データに基づく画像が表示画面内のウィンドウ中に表示された様子を示す図
【符号の説明】
【００３９】
５    医療用画取得装置
１０    画像情報蓄積装置
２０    記憶メモリ
３０    表示器
４０    ウィンドウ配置設定手段
５０    映像信号生成手段
１００    医療用画表示装置
【図１】
2005245921.tif 000003
【図２】
2005245921.tif 000004
【図３】
2005245921.tif 000005
【図４】
2005245921.tif 000006